(57)【要約】      （修正有）【課題】いろいろな作品を簡単かつ豪華に表現し楽しむことができる美術品創作具を提供する。【解決手段】デザイン化された半立体的な擬似宝飾体４、または擬似貴金属体３を１つ以上組み合わせ、半立体的な擬似宝飾品１、または擬似貴金属品２を構成している。そのためいろいろな作品を簡単かつ豪華に表現し楽しむことができる。【選択図】図１
0003101584.tif 000002
【実用新案登録請求の範囲】
【請求項１】
擬似貴金属体（３）と擬似宝石体（４）で出来た半立体的な擬似宝飾品（１）、または擬似貴金属品（２）を１つ以上の組み合わせにより、いろいろな作品を簡単かつ豪華に表現し楽しむことが出来ることを特徴とする美術品創作具。
【請求項２】
擬似貴金属体（３）と擬似宝石体（４）で出来た半立体的な擬似宝飾品（１）、または擬似貴金属品（２）に粘着質を取り付けることにより、さまざまな場所を飾ることが出来ることを特徴とする美術品創作具。
【請求項３】
擬似貴金属体（３）と擬似宝石体（４）で出来た半立体的な擬似宝飾品（１）、または擬似貴金属品（２）からなるひとつのモチーフを各部ごとに分けて立体的なパズルとして使用することができ、その組み合わせは無限でることを特徴とする美術品創作具。
【請求項４】
擬似貴金属体（３）と擬似宝石体（４）で出来た半立体的な擬似宝飾品（１）、または擬似貴金属品（２）を車の外装などに貼り付けることにより立体模様として使用することが出来ることを特徴とする美術品創作具。
【考案の詳細な説明】
【考案の詳細な説明】
【考案の属する分野】
【０００１】本考案は美術品創作具に関する分野であり、詳しくは立体的な擬似宝飾品、または擬似貴金属品によっていろいろな作品を楽しむことができる美術品創作具に関するものである。
【背景技術】
【０００２】美術を表現する道具においては塗料を使用するものが多く、また立体的に表現するには彫刻や粘土などが使用されているのは周知のとおりである。
【考案が解決しようとする課題】
【０００３】従来の技術で記載した美術を表現する道具においてはいずれも高度な技術が必要である。
【０００４】そのため自分で美術を表現することが難しく美術という分野に無関心な人が多いという課題があった。
【０００５】本考案はデザイン化された半立体的な擬似宝飾品、または擬似貴金属品によって従来の自分で美術を表現することが難しく美術という分野に無関心な人が多いという課題を克服しいろいろな作品を簡単かつ豪華に表現し、楽しむことが出来る美術品創作具の提供を目的としている。
【課題を解決するための手段】
【０００６】上記の目的を達成するために、本考案の美術品創作具について説明する。
【０００７】請求項１に記載の考案はメッキ加工された擬似貴金属体（３）と透明な物質で出来た擬似宝石体（４）の組み合わせからなる物体を擬似宝飾品（１）としている。
【０００８】またメッキ加工された擬似貴金属体（３）からなる物体を擬似貴金属品（２）としている。
【０００９】さらに擬似宝飾品（１）、または擬似貴金属品（２）をさまざまに組み合わせることが出来るようにしている。
【００１０】そのため自由な組み合わせによりいろいろな作品を簡単かつ豪華に表現しそれを楽しむことが出来る。
【００１１】請求項２に記載の考案は請求項１に記載の擬似貴金属体（３）と擬似宝石体（４）で出来た半立体的な擬似宝飾品（１）、または擬似貴金属品（２）に粘着質（５）を取り付けている。
【００１２】そのため粘着可能なさまざまな場所を飾ることが出来るようにしている。
【００１３】請求項３に記載の考案はあるひとつのモチーフを請求項１に記載の擬似貴金属体（３）と擬似宝石体（４）で出来た半立体的な擬似宝飾品（１）、または擬似貴金属品（２）で表現したものを各部に分けている。
【００１４】そのためそれを組み合わせることにより立体的なパズルとして使用することが可能であり、その組み合わせは無限である。
【００１５】請求項４に記載の考案は請求項１に記載の擬似貴金属体（３）と擬似宝石体（４）で出来た半立体的な擬似宝飾品（１）、または擬似貴金属品（２）意匠性のあるデザインにしている。
【００１６】そのため車の外装などに貼り付けることによって立体模様として使用することが可能になっている。
【考案を実施するための最良の形態】
【００１７】本考案の実施例について図面を参照して説明する。【００１８】図１においてメッキ加工された擬似貴金属体（３）の上部に透明な物質で出来た擬似宝石体（４）を装着しているものを半立体的な擬似宝飾品（１）としている。【００１９】またメッキ加工された擬似貴金属体（３）からなる物体を擬似貴金属品（２）としている。【００２０】そのため擬似宝飾品（１）と擬似貴金属品（２）を組み合わせていろいろな作品を簡単かつ豪華に表現することが出来る。【００２１】さらに擬似宝飾品（１）、または擬似貴金属品（２）の下部に粘着質を設けている。【００２２】そのため擬似宝飾品（１）と擬似貴金属品（２）を粘着可能な場所に貼り付けることが出来る。【００２３】図２はあるひとつのモチーフを擬似宝飾品（１）と擬似貴金属品（２）で表現しそれを分割している。【００２４】そのため分割された擬似宝飾品（１）と擬似貴金属品（２）を組み合わせてそのモチーフを完成させるためのパズルとしての使用が可能になっており、その組み合わせは無限である。【００２５】図３は擬似宝飾品（１）と擬似貴金属品（２）を意匠性のあるデザインにしている。【００２６】そのため車の外装などに貼り付けることによって立体模様として使用することが可能になっている。
【考案の効果】
【００２７】本考案の美術品創作具は、以上説明した構成からなるため、以下に記載する効果を奏する。
【００２８】従来の美術を表現する道具においては塗料を使用するものが多く、また立体的に表現するには彫刻や粘土などが使用し、いずれも高度な技術が必要であるという課題があったのに対し本考案の美術品創作具では擬似貴金属体（３）と擬似宝石体（４）で半立体的な擬似宝飾品（１）、または擬似貴金属品（２〉を構成としている。
【００２９】そのため自由な組み合わせによりいろいろな作品を簡単かつ豪華に表現しそれを楽しむことが出来る。
【００３０】擬似貴金属体（３）と擬似宝石体（４）で出来た半立体的な擬似宝飾品（１）、または擬似貴金属品（２）に粘着質を取り付けているため粘着可能なさまざまな場所を飾ることが出来る。
【００３１】擬似貴金属体（３）と擬似宝石体（４）で出来た半立体的な擬似宝飾品（１）、または擬似貴金属品（２）で表現したあるひとつのモチーフを各部に分けているためそれを組み合わせることにより立体的なパズルとして使用することが出来る。
【００３２】擬似貴金属体（３）と擬似宝石体（４）で出来た半立体的な擬似宝飾品（１）、または擬似貴金属品（２）意匠性のあるデザインにしているため車の外装などに貼り付けることによって立体模様として使用することが可能になっている。
【図面の簡単な説明】
【図１】美術品創作具の側面図である。
【図２】美術品創作具をパズル化したものの上面図である。
【図３】美術品創作具を立体模様として車の外装に取り付けたときの斜視図である。
【符号の説明】
１      擬似宝飾品
２      擬似貴金属品
３      擬似貴金属体
４      擬似宝石体
５      粘着質
【図１】
0003101584.tif 000003
【図２】
0003101584.tif 000004
【図３】
0003101584.tif 000005